(57)【要約】【課題】屋根部を備える鍵盤楽器において、譜面台を自由に移動させることができる譜面台受け構造を、簡単かつ低コストで、しかも見栄えよく実現できるようにする。【解決手段】電子楽器本体１は、鍵盤４の配列方向に沿って屋根部２の一端から他端にかけて形成された溝部８を備える。溝部８は、譜面台１０の下端縁を挿入する構造になっているので、譜面台１０を保持するための他の部品が不要でありコストが掛からない。また、屋根部を備える鍵盤楽器であれば容易に適用することができる。また、溝部８の鍵盤４側に、溝部８に沿って突設された突出部９により、奏者の視線から溝部８を覆い隠すことができるので、溝部８の見栄えを向上させることができる。【選択図】図２
2004258499.tif 000002
【特許請求の範囲】
【請求項１】
鍵盤の後方に屋根部を備える鍵盤楽器において、該屋根部の上に譜面台を保持するための譜面台受け構造であって、
前記鍵盤の配列方向に沿って前記屋根部の一端から他端にかけて形成され、前記譜面台の下端縁を挿入可能な溝部と、
該溝部よりも鍵盤側の屋根部に該溝部に沿って突設され、前記鍵盤楽器の手前側から前記溝部が見えないように前記溝部を隠す突出部と、
からなり、前記溝部に前記譜面台の下端縁を挿入することにより、前記屋根部に前記譜面台を載置できるようにしたことを特徴とする鍵盤楽器の譜面台受け構造。
【請求項２】
請求項１に記載の鍵盤楽器の譜面台受け構造において、
前記溝部および前記突出部は、押し出し成型によって、前記屋根部と一体に形成されていることを特徴とする鍵盤楽器の譜面台受け構造。
【請求項３】
請求項１または請求項２に記載の鍵盤楽器の譜面台受け構造において、
前記突出部は、前記屋根部の上部から後方に向けて湾曲していることを特徴とする鍵盤楽器の譜面台受け構造。
【発明の詳細な説明】
【０００１】
【発明の属する技術分野】
本発明は、鍵盤楽器の譜面台受け構造に関する。
【０００２】
【従来の技術】
従来から、奏者の好みの位置に譜面台を置いて、鍵盤楽器の演奏を楽しみたいという要求があった。そのようなことから、奏者の演奏位置にあわせて譜面台を移動させることができる鍵盤楽器の譜面立て装置が提供されている。（例えば、特許文献１参照。）。
【０００３】
この譜面立て装置は、鍵盤楽器の屋根部の鍵盤側の縁に沿って、譜面台を固定するための桟を設けると共に、譜面台の下端に、譜面台を桟に引っかけるように固定するための嵌合部を設け、その嵌合部を桟に嵌合することにより、桟に沿って譜面台を自由に移動できるようにされている。
【０００４】
【特許文献１】
特開平３−２５９１９４号公報
【０００５】
【発明が解決しようとする課題】
しかしながら、この譜面立て装置は、譜面台を自由に移動させることができるものの、屋根部に縁のない鍵盤楽器には適用することができないという問題があった。
【０００６】
また、この譜面立て装置は、屋根部の縁に沿って設けられた桟に、譜面台を引っかけるように固定しているので、場合によっては、屋根部の縁に荷重が集中してしまい、屋根部の縁が変形してしまうことも考えられ、屋根部の縁を強固に形成する必要があった。
【０００７】
また、屋根部の縁に沿って設けられた桟は、奏者の目に留まりやすく目立ってしまい、外観上の見栄えを悪くしていた。
また、この譜面立て装置は、譜面台を固定するための桟等の構成部品が増え、コストが高くなってしまうことが予測される。
【０００８】
そこで本発明は、上述の問題を解決するためになされたものであり、屋根部を備える鍵盤楽器において、譜面台を自由に移動させることができる譜面台受け構造を、簡単かつ低コストで、しかも見栄えよく実現できるようにすることを目的とする。
【０００９】
【課題を解決するための手段および発明の効果】
かかる課題を解決するためになされた請求項１に記載の発明は、鍵盤の後方に屋根部を備える鍵盤楽器において、屋根部の上に譜面台を保持するための譜面台受け構造であって、鍵盤の配列方向に沿って屋根部の一端から他端にかけて形成され、譜面台の下端縁を挿入可能な溝部と、その溝部よりも鍵盤側の屋根部にその溝部に沿って突設され、鍵盤楽器の手前側から溝部が見えないように溝部を隠す突出部とからなり、溝部に譜面台の下端縁を挿入することにより、屋根部に譜面台を載置できるようにしたことを特徴としている。
【００１０】
請求項１に記載の譜面台受け構造は、屋根部の上に形成されるので、屋根部に縁のない鍵盤楽器であっても適用することができる。また、譜面台の荷重を屋根部の上で受け止めるので、屋根部の特定の部分に荷重が集中することがなく、屋根部が変形してしまうこともない。
【００１１】
また、請求項１に記載の譜面台受け構造において、溝部は、譜面台の下端縁を挿入する構造になっているので、譜面台を保持するための他の部品が不要でありコストが掛からない。
一方、突出部は、溝部よりも鍵盤側の屋根部に溝部に沿って突出しているので、奏者の視線から溝部を隠し、溝部を目立たなくしている。したがって、溝部の外観上の見栄えを向上させることができる。
【００１２】
請求項１に記載の譜面台受け構造において、溝部と突出部は、様様な方法で形成することができる。例えば、木製の屋根部を備える鍵盤楽器の場合は、切削加工によって溝部を屋根部に形成し、突出部は、木製の棒材を貼着してもよい。金属の場合は、プレス加工によって、屋根部と一体に形成してもよい。また、樹脂の場合は、射出成型も考えられる。
【００１３】
さらに、金属や樹脂等の場合は、溝部と突出部を、請求項２に記載のように、押し出し成型によって、屋根部と一体に形成してもよい。押し出し成型の型は、構造が簡単であり、製造工程も単純であるため、コストが掛からない。
また、突出部は、溝部に沿って突出した立壁であっても、その機能を果たすことは可能であるが、請求項３に記載のように、屋根部の上部から後方に向けて湾曲していれば、溝部に覆い被さるので、溝部をより目立たなくし、溝部の外観上の見栄えをより向上させることができる。また、突出部は、溝部に異物や埃を入り込み難くする。
【００１４】
【発明の実施の形態】
以下、本発明の実施形態を図面に基づいて説明する。
図１は、本発明を適用した電子楽器の構成を示す斜視図である。図２（Ａ）は、図１Ａ−Ａ部分の電子楽器の断面図である。図２（Ｂ）は、図２（Ａ）Ｂ部分の拡大断面図である。
【００１５】
電子楽器本体１は、電子楽器本体１の上部前方に横並びに整列配置された複数の鍵からなる鍵盤４と、鍵盤４の後方に設けられ、電子楽器本体１の後背部を構成する屋根部２と、鍵盤４の両端に配置された一対の拍子木５（一端のみ図示）と、鍵盤４の前端下方に設けられ、電子楽器本体１の前部を構成する口棒６と、電子楽器本体１の底部を構成する底板７と、底板７の両端に垂直に固定された一対の腕木３（一端のみ図示）とを備えている。
【００１６】
電子楽器本体１の後背部を構成する屋根部２の上部には、溝部８と突出部９が形成されている。
その溝部８は、譜面１１を係止する譜面台１０の下端縁が挿し込まれ、譜面台１０を保持している。
【００１７】
さらに、屋根部２の上部表面には、溝部８の鍵盤４側に鍵盤４に沿って、音色の調整や、演奏の録音、再生等の操作入力を奏者が行うためのコントロールパネル１２が配置されている。
そのコントロールパネル１２の裏側、屋根部２の内裏面には、コントロールパネル１２からの操作入力に対し音色の調整や、演奏の録音、再生等を行うための制御機能が集約されたプリント基板１５が内蔵されている。さらに、屋根部２の内裏面には、鍵盤４の配列方向に屋根部２の一端から他端にかけて、プリント基板１５を保持固定するための固定部１３と、固定部１３を挟んで差込部１４、１４ａが形成されている。
【００１８】
そして、プリント基板１５は、その側端を差込部１４、１４ａに差し込み保持され、固定部１３にスクリュー１６で保持固定されている。
屋根部２の上部に形成されている溝部８は、鍵盤４の配列方向に沿って屋根部２の一端から他端にかけて形成されている。その溝部８は、上部を開口した矩形断面からなる均一幅の溝状に形成されている。
【００１９】
また、溝部８は、差込部１４ａが一体に形成され、プリント基板１５の保持固定を協働している。
一方、突出部９は、溝部８よりも鍵盤４側の屋根部２に溝部８に沿って突出し、屋根部２の上部から後方へ向かって湾曲した均一幅の壁状に形成されている。
【００２０】
本実施形態において、屋根部２に形成されている固定部１３と差込部１４、１４ａ、および、溝部８と突出部９は、アルミ材の押し出し成型によって、屋根部２と一体に形成されている。
本実施形態によれば、溝部８は、譜面台１０の下端縁を挿入する構造になっているので、譜面台１０を保持するための部品が不要でありコストが掛からない。また、屋根部を備える鍵盤楽器であれば容易に適用することができる。
【００２１】
また、溝部８は、均一幅の溝状に形成されているので、溝部８の如何なる位置でも譜面台１０を保持することができる。したがって、奏者は、好みの位置に譜面台１０を置いて演奏を楽しむことができる。
また、溝部８は、幅の広い大型の譜面台を使用しても、屋根部２の上部でその荷重を受け止め、保持することができるので、剛性が不足することがない。また、複数の譜面台１０を横に並べて使用することもできる。したがって、奏者は、連弾を楽しむこともできる。
【００２２】
一方、突出部９は、溝部８よりも鍵盤４側の屋根部２に溝部８に沿って突出し、屋根部２の上部から後方に向かって湾曲した壁状に形成されているので、奏者の視線から溝部８を覆い隠し、溝部８を目立たなくしている。したがって、溝部８の外観上の見栄えを向上させることができる。また、突出部９は、溝部８に異物や埃を入り込み難くしている。
【００２３】
屋根部２に形成されている固定部１３と差込部１４、１４ａ、および、溝部８と突出部９は、押し出し成型の型に造型することにより、屋根部２と一体に、容易に形成することができる。また、押し出し成型の型は、構造が簡単であり、製造工程も単純であるため、コストが掛からない。
【００２４】
その他、例えば、同様の溝部を形成しておけば、異なる機種の鍵盤楽器であっても、同様の譜面台を使用することができるので、譜面台を共通化することも可能である。
本発明の実施形態は、上述の実施形態に何ら限定されるものではなく、本発明の技術的範囲に属する限り種々の形態を採り得ることはいうまでもない。
【００２５】
上述の実施形態において、溝部８は、上部を開口した矩形断面からなり押し出し方向に均一幅で形成されているが、必ずしも矩形断面に限られるものではない。例えば、Ｕ字断面、あるいは、Ｖ字断面、または、傾斜した矩形断面、湾曲した断面等でもよく、譜面台１０を保持する機能を果たすことが可能であればよい。
【００２６】
また、屋根部２に形成されている固定部１３と差込部１４、１４ａ、および、溝部８と突出部９は、アルミ材の押し出し成型によって形成されているが、必ずしも押し出し成型に限られるものではなく、同様の形状を成形可能な加工方法であればよい。例えば、切削加工あるいはプレス加工、射出成型等でもよい。また、その材料はアルミ材に限られるものではなく、その機能を満足できる材料であればよい。例えば、合成樹脂材料等であってもよい。
【００２７】
また、本実施形態では、溝部８の上部から譜面台１０の下端縁を挿入できるように構成したため溝部８の内壁面と譜面台１０との間に比較的広い隙間が生じたが（図２参照）、溝部８の両端側から譜面台１０をスライドさせて挿入するように構成すれば、図３に示すように、溝部８の内壁面と譜面台１０との間の隙間を狭くすることができる。この結果、簡単かつ低コストで、しかも見栄えよくできると共に、譜面台１０の安定性を向上させることができる。
【００２８】
さらに、上述の実施形態は、電子楽器に適用した例であるが、適当であれば、本発明は、他の鍵盤楽器にも適用することができる。
【図面の簡単な説明】
【図１】本発明を適用した電子楽器の構成を示す斜視図である。
【図２】図１のＡ−Ａ部分を示す断面図（Ａ）、および断面図（Ａ）のＢ部分を示す拡大図（Ｂ）である。
【図３】図２に示す譜面台の変形例を示す説明図である。
【符号の説明】
１…電子楽器本体、２…屋根部、３…腕木、４…鍵盤、５…拍子木、６…口棒、７…底板、８…溝部、９…突出部、１０…譜面台、１１…譜面、１２…コントロールパネル、１３…固定部、１４、１４ａ…差込部、１５…プリント基板、１６…スクリュー。
【図１】
2004258499.tif 000003
【図２】
2004258499.tif 000004
【図３】
2004258499.tif 000005